(57)【特許請求の範囲】
【請求項１】
コンピュータと、
複数のキーが設けられ、キーが押下された際には、押下されたキーを特定するためのキーコードであって規格に規定されていない特殊キーコードをコンピュータへ出力するように設けられた特殊キーボードとを具備する入力システムであって、
コンピュータは、
特殊キーボードからの特殊キーコードに対応するＵＲＬまたは所定のファイル名を予めデータテーブルとして記憶する記憶手段と、
特殊キーボードから特殊キーコードを受信した場合には、データテーブルから対応するＵＲＬまたは所定のファイル名を参照し、対応するＵＲＬに自動的にアクセスするようにブラウザを制御するかまたは対応するファイルを開くように所定のアプリケーションソフトを制御する自動アクセス手段とが設けられ、
前記記憶手段には、同一内容のＷＥＢサイトに対して異なる言語で表示されるＷＥＢサイトのＵＲＬが、言語毎にそれぞれ異なるデータテーブルに記憶され、異なる言語で表示されるＷＥＢサイトであっても同一内容のＷＥＢサイトには各データテーブル共通の同一の特殊キーコードと対応付けされて記憶されており、
前記特殊キーボードには、複数のデータテーブルのうちいずれの言語で表示されているＵＲＬが記憶されているデータテーブルに切り換えるかを指示する切り換えキーコードを出力する言語切り換えキーが設けられ、
前記自動アクセス手段は、入力された切り換えキーコードに基づいて、複数のデータテーブルのうち該当するデータテーブルから、入力された特殊キーコードに対応するＵＲＬに自動的にアクセスすることを特徴とする入力システム。
【請求項２】
前記コンピュータは、
前記データテーブルの内容をユーザに入力させるために、ユーザの操作に応じて動作するアプリケーションソフトであって、
特殊キーボードのキー配列を、コンピュータに接続される表示装置に表示させる機能と、
ユーザによって前記キー配列のうちいずれかのキーが指定された場合に、指定されたキーに割り当てるＵＲＬまたはファイル名をユーザに入力させる入力画面を、表示装置に表示させる機能と、
入力画面に入力されたＵＲＬまたはファイル名と指定されたキーとを対応させて記憶手段に記憶させる機能とを有するデータテーブル入力手段が設けられていることを特徴とする請求項１記載の入力システム。
【請求項３】
特殊キーボードには、コンピュータおよびコンピュータ以外の機器と接続するための複数のコネクタ部と、該コネクタ部を連結するＨＵＢとが設けられていることを特徴とする請求項１又は請求項２記載の入力システム。
【請求項４】
コンピュータに接続して用いられる特殊キーボードであって、
複数のキーと、
各キーに対応するＵＲＬまたはファイル名を予めデータテーブルとして記憶する記憶手段と、
キーが押下された際には、押下されたキーに対応するＵＲＬまたはファイル名をデータテーブルから参照し、対応するＵＲＬに自動的にアクセスするようにコンピュータ内のブラウザを制御するかまたは対応するファイルを開くようにコンピュータ内の所定のアプリケーションソフトを制御する制御信号を出力する制御信号出力手段とを具備し、
前記記憶手段には、同一内容のＷＥＢサイトに対して異なる言語で表示されるＷＥＢサイトのＵＲＬが、言語毎にそれぞれ異なるデータテーブルに記憶され、異なる言語で表示されるＷＥＢサイトであっても同一内容のＷＥＢサイトには各データテーブル共通の同一の特殊キーコードと対応付けされて記憶されており、
複数のデータテーブルのうちいずれの言語で表示されているＵＲＬが記憶されているデータテーブルに切り換えるかを指示する切り換えキーコードを出力する言語切り換えキーが設けられ、
前記制御信号出力手段は、入力された切り換えキーコードに基づいて、複数のデータテーブルのうち該当するデータテーブルから、入力された特殊キーコードに対応するＵＲＬに自動的にアクセスするようにコンピュータ内のブラウザを制御する制御信号を出力することを特徴とする特殊キーボード。
【請求項５】
複数のキーが設けられ、キーが押下された際には、押下されたキーを特定するためのキーコードであって規格に規定されていない特殊キーコードをコンピュータへ出力するように設けられた特殊キーボードを接続可能であり、特殊キーボードからの特殊キーコードに対応するＵＲＬまたは所定のファイル名を予めデータテーブルとして記憶する記憶手段が設けられたコンピュータに実行させるプログラムであって、
特殊キーボードから特殊キーコードを受信した場合には、データテーブルから対応するＵＲＬまたは所定のファイル名を参照し、対応するＵＲＬに自動的にアクセスするようにブラウザを制御するかまたは対応するファイルを開くように所定のアプリケーションソフトを制御する機能をコンピュータに実現させ、
前記記憶手段には、同一内容のＷＥＢサイトに対して異なる言語で表示されるＷＥＢサイトのＵＲＬが、言語毎にそれぞれ異なるデータテーブルに記憶され、異なる言語で表示されるＷＥＢサイトであっても同一内容のＷＥＢサイトには各データテーブル共通の同一の特殊キーコードと対応付けされて記憶されており、
特殊キーボードに設けられた言語切り換えキーにより、複数のデータテーブルのうちいずれの言語で表示されているＵＲＬが記憶されているデータテーブルに切り換えるかを指示する切り換えキーコードおよび前記特殊キーコードを受信した場合には、入力された切り換えキーコードに基づいて、複数のデータテーブルのうち該当するデータテーブルから、入力された特殊キーコードに対応するＵＲＬに自動的にアクセスする機能をコンピュータに実現させることを特徴とする自動アクセスプログラム。
【請求項６】
前記データテーブルの内容をユーザに入力させるために、
特殊キーボードのキー配列を、コンピュータに接続される表示装置に表示させる機能と、
ユーザによって前記キー配列のうちいずれかのキーが指定された場合に、指定されたキーに割り当てるＵＲＬまたはファイル名をユーザに入力させる入力画面を、表示装置に表示させる機能と、
入力画面に入力されたＵＲＬまたはファイル名と指定されたキーとを対応させて記憶手段に記憶させる機能とをコンピュータに実現させることを特徴とする請求項５記載の自動アクセスプログラム。
【請求項７】
ホテルに設置される案内システムであって、
表示手段を有するコンピュータと、
複数のキーが設けられ、キーが押下された際には、押下されたキーを特定するためのキーコードであって規格に規定されていない特殊キーコードをコンピュータへ出力するように設けられた特殊キーボードとを具備し、
コンピュータは、
特殊キーボードからの特殊キーコードに対応するホテル周辺の店舗を案内する店舗毎のＵＲＬを予めデータテーブルとして記憶する記憶手段と、
特殊キーボードから特殊キーコードを受信した場合には、データテーブルから対応するＵＲＬを参照し、対応するＵＲＬに自動的にアクセスして対応するＵＲＬのＷＥＢサイトを表示手段に表示させるようにブラウザを制御する自動アクセス手段とが設けられ、
前記記憶手段には、前記データテーブルが複数記憶されており、
複数のデータテーブルは、同一内容のＷＥＢサイトに対して異なる言語で表示されている場合において、同一内容のＷＥＢサイトであって異なる言語で表示されている場合であっても該異なる言語毎のＵＲＬに対しては同一の特殊キーコードが対応付けされて、データテーブル毎に、異なる言語で表示されるＷＥＢサイトのＵＲＬと、該ＵＲＬに対応する特殊キーコードが記憶されており、
前記特殊キーボードには、複数のデータテーブルのうちいずれの言語で表示されているＵＲＬが記憶されているデータテーブルに切り換えるかを指示する切り換えキーコードを出力する言語切り換えキーが設けられ、
前記自動アクセス手段は、入力された切り換えキーコードに基づいて該当する言語のデータテーブルから、該当する特殊キーコードに該当するＵＲＬに自動的にアクセスすることを特徴とする案内システム。
【請求項８】
ホテルに設置される案内システムであって、
表示手段を有するコンピュータと、
複数のキーが設けられ、各キーに対応するホテル周辺の店舗を案内する店舗毎のＵＲＬを予めデータテーブルとして記憶する記憶手段が設けられ、キーが押下された際には、押下されたキーに対応するＵＲＬをデータテーブルから参照し、対応するＵＲＬに自動的にアクセスするようにコンピュータ内のブラウザを制御する制御信号を出力する制御信号出力手段が設けられた特殊キーボードとを具備し、
前記記憶手段には、同一内容のＷＥＢサイトに対して異なる言語で表示されるＷＥＢサイトのＵＲＬが、言語毎にそれぞれ異なるデータテーブルに記憶され、異なる言語で表示されるＷＥＢサイトであっても同一内容のＷＥＢサイトには各データテーブル共通の同一の特殊キーコードと対応付けされて記憶されており、
複数のデータテーブルのうちいずれの言語で表示されているＵＲＬが記憶されているデータテーブルに切り換えるかを指示する切り換えキーコードを出力する言語切り換えキーが設けられ、
前記制御信号出力手段は、入力された切り換えキーコードに基づいて、複数のデータテーブルのうち該当するデータテーブルから、入力された特殊キーコードに対応するＵＲＬに自動的にアクセスするようにコンピュータ内のブラウザを制御する制御信号を出力することを特徴とする案内システム。
【発明の詳細な説明】
【技術分野】
【０００１】
本発明は、ユーザが予め登録したＵＲＬまたはファイルにワンタッチでアクセスするための入力システム、ユーザが予め登録したＵＲＬまたはファイルにワンタッチでアクセスするための特殊キーボード、ユーザが予め登録したＵＲＬまたはファイルにワンタッチでアクセスするためのプログラム、およびホテル内に設置される案内システムに関する。
【背景技術】
【０００２】
現在、インターネットが幅広く普及しており、インターネット上では電子メールのやり取りが行われたり、開設されたＷＥＢサイトを閲覧したりして、情報の発信や情報の収集が行われている。
【０００３】
インターネットへの接続は、コンピュータを介して行われることが多い。コンピュータでＷＥＢサイトの閲覧を行うには、ＷＥＢサイトへアクセスするためのアプリケーションソフトであるブラウザをインストールし、ブラウザが所定のＵＲＬ（Uniform Resource Locator）にアクセスして、アクセスしたＷＥＢサイトからのＨＴＭＬファイルや画像ファイル等をダウンロードして表示することで行われる。
なお、ＵＲＬとはインターネット上での場所を示す情報のことであり、サーバ名、ポート番号、フォルダ名等で構成される。
【０００４】
ブラウザにはユーザがＵＲＬを入力するための入力欄が設けられており、ユーザがここにアクセスしたいＷＥＢサイトのＵＲＬを入力することにより、所望のＷＥＢサイトへアクセスすることができる。
【０００５】
ただしＵＲＬはアルファベット、数字、記号の組み合わせであり、かなり長い文字列となる。このＵＲＬの入力をキーボードから行うとなると、入力動作が非常に面倒であるため、簡単にアクセスすることが困難であり、また間違ったＵＲＬを入力してしまう可能性もある。
【０００６】
そこで、ＵＲＬによく用いられる文字列、例えばｈｔｔｐ：／／であるとか、ｃｏ．ｊｐであるとかを予めソフトウェアキーボードに記憶させておき、該当するソフトウェアキーボードのキーを指示することで、ブラウザのＵＲＬの入力欄に対応する文字列を自動的に記入させる技術が開示されている（例えば、特許文献１参照）。
【０００７】
【特許文献１】特開平１１−２０２９９６号公報
【発明の開示】
【発明が解決しようとする課題】
【０００８】
特許文献１に示した技術では、ソフトウェアキーボードを用いているのでマウス操作が必要となる。しかしながら、マウス操作もあまり得意では無いユーザにとってはマウス操作に手間取り、結局はＵＲＬの入力に時間がかかるおそれがあるという課題がある。
また、よく使われる文字列のみの登録では、ＵＲＬ全体を入力するのにある程度の時間がかかってしまう。
【０００９】
なお、ブラウザには、お気に入りのＷＥＢサイトのＵＲＬをお気に入り欄に登録しておき、お気に入り欄に表示されているＷＥＢサイトの表示をクリックするだけで、ＵＲＬの入力をしなくとも該当するＷＥＢサイトへアクセスする機能が設けられている。
しかし、お気に入り欄の操作もやはりマウスを用いて行われるため、マウス操作が不慣れな者にとっては操作が大変である。
【００１０】
なお、上述してきたような課題はブラウザで所定のＷＥＢサイトへアクセスする場合に限られず、ワープロソフトや表計算ソフト等のアプリケーションソフトを用いてファイルを作成する場合でも同様に発生する。
すなわち、記憶しておいたファイルを探してこれを開くという作業は、マウス操作等が不慣れな者にとってみれば大変な作業である。
【００１１】
そこで、本発明の目的は、上記課題を解決すべくなされ、その目的とするところは、マウス操作無しでも、簡単に所望のＷＥＢサイトへのアクセスが可能であり、また所望のファイルを簡単に開くことができる入力システム、特殊キーボード、自動アクセスプログラムおよびこれらを用いた案内システムを提供することにある。
【課題を解決するための手段】
【００１２】
本発明は上記目的を達成すべく、以下の構成を備える。
すなわち、本発明の入力システムによれば、コンピュータと、複数のキーが設けられ、キーが押下された際には、押下されたキーを特定するためのキーコードであって規格に規定されていない特殊キーコードをコンピュータへ出力するように設けられた特殊キーボードとを具備する入力システムであって、コンピュータは、特殊キーボードからの特殊キーコードに対応するＵＲＬまたは所定のファイル名を予めデータテーブルとして記憶する記憶手段と、特殊キーボードから特殊キーコードを受信した場合には、データテーブルから対応するＵＲＬまたは所定のファイル名を参照し、対応するＵＲＬに自動的にアクセスするようにブラウザを制御するかまたは対応するファイルを開くように所定のアプリケーションソフトを制御する自動アクセス手段とが設けられ、前記記憶手段には、同一内容のＷＥＢサイトに対して異なる言語で表示されるＷＥＢサイトのＵＲＬが、言語毎にそれぞれ異なるデータテーブルに記憶され、異なる言語で表示されるＷＥＢサイトであっても同一内容のＷＥＢサイトには各データテーブル共通の同一の特殊キーコードと対応付けされて記憶されており、前記特殊キーボードには、複数のデータテーブルのうちいずれの言語で表示されているＵＲＬが記憶されているデータテーブルに切り換えるかを指示する切り換えキーコードを出力する言語切り換えキーが設けられ、前記自動アクセス手段は、入力された切り換えキーコードに基づいて、複数のデータテーブルのうち該当するデータテーブルから、入力された特殊キーコードに対応するＵＲＬに自動的にアクセスすることを特徴としている。
この構成では、ユーザは特殊キーボードのキーのうち、いずれかのキーを押すだけで所望のＷＥＢサイトへアクセスできる。すなわち、マウス操作無しでワンタッチでＷＥＢサイトへのアクセスが可能となるため、キーボードの操作やマウスの操作が不慣れな者であっても容易にＷＥＢサイトへのアクセスができる。また、頻繁に同じＷＥＢサイトへアクセスしたり、同じファイルを開く場合に、非常にスムーズな操作が行える。
また、同一のホームページについて異なる言語で作成されているものが複数ある場合には、ユーザは、特殊キーボードの言語切り換えキーを押下することでいずれかの言語に特定し、その後所望のキーを押下することで特定した言語のＵＲＬのＷＥＢサイトの閲覧をすることができる。また、同一内容のＷＥＢサイトに対して特殊キーボードのキー割り当ては、異なる言語であっても同一とすることができるので、ユーザが利用しやすい。
【００１３】
また、前記コンピュータは、前記データテーブルの内容をユーザに入力させるために、ユーザの操作に応じて動作するアプリケーションソフトであって、特殊キーボードのキー配列を、コンピュータに接続される表示装置に表示させる機能と、ユーザによって前記キー配列のうちいずれかのキーが指定された場合に、指定されたキーに割り当てるＵＲＬまたはファイル名をユーザに入力させる入力画面を、表示装置に表示させる機能と、入力画面に入力されたＵＲＬまたはファイル名と指定されたキーとを対応させて記憶手段に記憶させる機能とを有するデータテーブル入力手段が設けられていることを特徴としてもよい。
これにより、ユーザが自由にキーにＵＲＬまたは所定のファイルを割り当てることができる。
【００１４】
さらに、特殊キーボードには、コンピュータおよびコンピュータ以外の機器と接続するための複数のコネクタ部と、該コネクタ部を連結するＨＵＢとが設けられていることを特徴としてもよい。
【００１５】
本発明にかかる特殊キーボードによれば、コンピュータに接続して用いられる特殊キーボードであって、複数のキーと、各キーに対応するＵＲＬまたはファイル名を予めデータテーブルとして記憶する記憶手段と、キーが押下された際には、押下されたキーに対応するＵＲＬまたはファイル名をデータテーブルから参照し、対応するＵＲＬに自動的にアクセスするようにコンピュータ内のブラウザを制御するかまたは対応するファイルを開くようにコンピュータ内の所定のアプリケーションソフトを制御する制御信号を出力する制御信号出力手段とを具備し、前記記憶手段には、同一内容のＷＥＢサイトに対して異なる言語で表示されるＷＥＢサイトのＵＲＬが、言語毎にそれぞれ異なるデータテーブルに記憶され、異なる言語で表示されるＷＥＢサイトであっても同一内容のＷＥＢサイトには各データテーブル共通の同一の特殊キーコードと対応付けされて記憶されており、複数のデータテーブルのうちいずれの言語で表示されているＵＲＬが記憶されているデータテーブルに切り換えるかを指示する切り換えキーコードを出力する言語切り換えキーが設けられ、前記制御信号出力手段は、入力された切り換えキーコードに基づいて、複数のデータテーブルのうち該当するデータテーブルから、入力された特殊キーコードに対応するＵＲＬに自動的にアクセスするようにコンピュータ内のブラウザを制御する制御信号を出力することを特徴としている。
この構成によれば、特殊キーボード内にコンピュータに対して所定のＵＲＬにアクセスするか所定のファイルを開くように指示する信号を出力する機能を設けたので、通常のコンピュータに接続するだけで、所望の動作をワンタッチで行うことができるようになる。
また、この構成によれば、同一のホームページについて異なる言語で作成されているものが複数ある場合には、ユーザは、特殊キーボードの言語切り換えキーを押下することでいずれかの言語に特定し、その後所望のキーを押下することで特定した言語のＵＲＬのＷＥＢサイトの閲覧をすることができる。また、同一内容のＷＥＢサイトに対して特殊キーボードのキー割り当ては、異なる言語であっても同一とすることができるので、ユーザが利用しやすい。
【００１９】
本発明にかかる自動アクセスプログラムによれば、複数のキーが設けられ、キーが押下された際には、押下されたキーを特定するためのキーコードであって規格に規定されていない特殊キーコードをコンピュータへ出力するように設けられた特殊キーボードを接続可能であり、特殊キーボードからの特殊キーコードに対応するＵＲＬまたは所定のファイル名を予めデータテーブルとして記憶する記憶手段が設けられたコンピュータに実行させるプログラムであって、特殊キーボードから特殊キーコードを受信した場合には、データテーブルから対応するＵＲＬまたは所定のファイル名を参照し、対応するＵＲＬに自動的にアクセスするようにブラウザを制御するかまたは対応するファイルを開くように所定のアプリケーションソフトを制御する機能をコンピュータに実現させ、前記記憶手段には、同一内容のＷＥＢサイトに対して異なる言語で表示されるＷＥＢサイトのＵＲＬが、言語毎にそれぞれ異なるデータテーブルに記憶され、異なる言語で表示されるＷＥＢサイトであっても同一内容のＷＥＢサイトには各データテーブル共通の同一の特殊キーコードと対応付けされて記憶されており、特殊キーボードに設けられた言語切り換えキーにより、複数のデータテーブルのうちいずれの言語で表示されているＵＲＬが記憶されているデータテーブルに切り換えるかを指示する切り換えキーコードおよび前記特殊キーコードを受信した場合には、入力された切り換えキーコードに基づいて、複数のデータテーブルのうち該当するデータテーブルから、入力された特殊キーコードに対応するＵＲＬに自動的にアクセスする機能をコンピュータに実現させることを特徴としてもよい。
このプログラムをコンピュータにインストールすれば、特殊キーボードをワンタッチ操作するだけで所望のＵＲＬに自動的にアクセスできる。
【００２０】
さらに、前記データテーブルの内容をユーザに入力させるために、特殊キーボードのキー配列を、コンピュータに接続される表示装置に表示させる機能と、ユーザによって前記キー配列のうちいずれかのキーが指定された場合に、指定されたキーに割り当てるＵＲＬまたはファイル名をユーザに入力させる入力画面を、表示装置に表示させる機能と、入力画面に入力されたＵＲＬまたはファイル名と指定されたキーとを対応させて記憶手段に記憶させる機能とをコンピュータに実現させることを特徴としてもよい。
【００２１】
本発明にかかる案内システムによれば、ホテルに設置される案内システムであって、表示手段を有するコンピュータと、複数のキーが設けられ、キーが押下された際には、押下されたキーを特定するためのキーコードであって規格に規定されていない特殊キーコードをコンピュータへ出力するように設けられた特殊キーボードとを具備し、コンピュータは、特殊キーボードからの特殊キーコードに対応するホテル周辺の店舗を案内する店舗毎のＵＲＬを予めデータテーブルとして記憶する記憶手段と、特殊キーボードから特殊キーコードを受信した場合には、データテーブルから対応するＵＲＬを参照し、対応するＵＲＬに自動的にアクセスして対応するＵＲＬのＷＥＢサイトを表示手段に表示させるようにブラウザを制御する自動アクセス手段とが設けられ、前記記憶手段には、前記データテーブルが複数記憶されており、複数のデータテーブルは、同一内容のＷＥＢサイトに対して異なる言語で表示されている場合において、同一内容のＷＥＢサイトであって異なる言語で表示されている場合であっても該異なる言語毎のＵＲＬに対しては同一の特殊キーコードが対応付けされて、データテーブル毎に、異なる言語で表示されるＷＥＢサイトのＵＲＬと、該ＵＲＬに対応する特殊キーコードが記憶されており、前記特殊キーボードには、複数のデータテーブルのうちいずれの言語で表示されているＵＲＬが記憶されているデータテーブルに切り換えるかを指示する切り換えキーコードを出力する言語切り換えキーが設けられ、前記自動アクセス手段は、入力された切り換えキーコードに基づいて該当する言語のデータテーブルから、該当する特殊キーコードに該当するＵＲＬに自動的にアクセスすることを特徴としている。
この構成を採用することによって、ホテルの宿泊客がホテルの近所の飲食店等の店舗の情報を、特殊キーボードのいずれかのキーを押下するだけで容易に得ることができる。
また、この構成によれば、ホテルに外国からの宿泊客がきた場合であっても、特殊キーボードの言語切り換えキーによって自国の言語でのＷＥＢサイトが表示されるように指定し、その後に特殊キーボードのいずれかのキーを押下するだけで、通訳等を必要とせずに外国の宿泊客が自らホテル近所の店舗の情報を容易に得ることができる。
【００２２】
本発明にかかる案内システムによれば、ホテルに設置される案内システムであって、表示手段を有するコンピュータと、複数のキーが設けられ、各キーに対応するホテル周辺の店舗を案内する店舗毎のＵＲＬを予めデータテーブルとして記憶する記憶手段が設けられ、キーが押下された際には、押下されたキーに対応するＵＲＬをデータテーブルから参照し、対応するＵＲＬに自動的にアクセスするようにコンピュータ内のブラウザを制御する制御信号を出力する制御信号出力手段が設けられた特殊キーボードとを具備し、前記記憶手段には、同一内容のＷＥＢサイトに対して異なる言語で表示されるＷＥＢサイトのＵＲＬが、言語毎にそれぞれ異なるデータテーブルに記憶され、異なる言語で表示されるＷＥＢサイトであっても同一内容のＷＥＢサイトには各データテーブル共通の同一の特殊キーコードと対応付けされて記憶されており、複数のデータテーブルのうちいずれの言語で表示されているＵＲＬが記憶されているデータテーブルに切り換えるかを指示する切り換えキーコードを出力する言語切り換えキーが設けられ、前記制御信号出力手段は、入力された切り換えキーコードに基づいて、複数のデータテーブルのうち該当するデータテーブルから、入力された特殊キーコードに対応するＵＲＬに自動的にアクセスするようにコンピュータ内のブラウザを制御する制御信号を出力することを特徴としてもよい。
この構成によれば、ホテルの宿泊客がホテルの近所の飲食店等の店舗の情報を、通常のコンピュータに接続した特殊キーボードのいずれかのキーを押下するだけで容易に得ることができる。
また、この構成によって、ホテルに外国からの宿泊客がきた場合であっても、特殊キーボードの言語切り換えキーによって自国の言語でのＷＥＢサイトが表示されるように指定し、その後に特殊キーボードのいずれかのキーを押下するだけで、通訳等を必要とせずに外国の宿泊客が自らホテル近所の店舗の情報を容易に得ることができる。
【００２３】
また、前記記憶手段には、同一内容のＷＥＢサイトに対して異なる言語で表示されるＷＥＢサイトのＵＲＬが、言語毎にそれぞれ異なるデータテーブルに記憶され、異なる言語で表示されるＷＥＢサイトであっても同一内容のＷＥＢサイトには各データテーブル共通の同一の特殊キーコードと対応付けされて記憶されており、複数のデータテーブルのうちいずれの言語で表示されているＵＲＬが記憶されているデータテーブルに切り換えるかを指示する切り換えキーコードを出力する言語切り換えキーが設けられ、前記制御信号出力手段は、入力された切り換えキーコードに基づいて、複数のデータテーブルのうち該当するデータテーブルから、入力された特殊キーコードに対応するＵＲＬに自動的にアクセスするようにコンピュータ内のブラウザを制御する制御信号を出力することを特徴としてもよい。
この構成によって、ホテルに外国からの宿泊客がきた場合であっても、特殊キーボードの言語切り換えキーによって自国の言語でのＷＥＢサイトが表示されるように指定し、その後に特殊キーボードのいずれかのキーを押下するだけで、通訳等を必要とせずに外国の宿泊客が自らホテル近所の店舗の情報を容易に得ることができる。
【発明の効果】
【００２４】
本発明にかかる入力システムによれば、キーボードの操作やマウスの操作が不慣れな者であってもワンタッチで容易にＷＥＢサイトへのアクセスや所定のファイルを開くことができる。
また、本発明にかかる特殊キーボードによれば、コンピュータには何らの特別な機能を設けておかなくとも、この特殊キーボードを接続するだけでワンタッチで容易にＷＥＢサイトへのアクセスや所定のファイルを開くことができる。したがって、ユーザは特殊キーボードを持ち歩くことで、出先でもユーザ所望の操作を容易に実行することができる。
本発明にかかる自動アクセスプログラムによれば、このプログラムをコンピュータにインストールすれば、特殊キーボードをワンタッチ操作するだけで容易にＷＥＢサイトへのアクセスや所定のファイルを開くことができる。
本発明にかかる案内システムによれば、ホテルの宿泊客がホテルの近所の店舗の情報を容易に得ることができ、またホテルフロントに多くの店舗情報等のチラシやパンフレットを設置しなくてもよいのでホテルフロントのスペース効率を上げることができる。
【発明を実施するための最良の形態】
【００２５】
（第１の実施形態）
以下、本発明の好適な実施の形態を添付図面に基づいて詳細に説明する。本実施形態の入力システムは、コンピュータ内にインストールさせたプログラムを実行することにより、所望のＵＲＬまたは所望のファイルを各キーを関連付けした特殊キーボードからのキー操作で、ワンタッチで所望のＵＲＬにアクセスするかまたは所望のファイルを開くことができるシステムである。
【００２６】
入力システム３０は、コンピュータ４０と特殊キーボード５０とから構成されている。
ただし、ここで示すコンピュータ４０としては、一般的に用いられているパーソナルコンピュータでよい。コンピュータ４０と特殊キーボード５０との間の接続方式については、ＰＳ／２、ＵＳＢ、または赤外線等どのようなものであってもよい。
また、入力システム３０の特殊キーボード５０としては、ＵＲＬまたはファイル起動のワンタッチ入力専用に用いるものである。したがって、コンピュータ４０には、特殊キーボード５０とは別に通常の入力装置としてのキーボード４１を設ける必要がある。
【００２７】
まず、図１に基づいて特殊キーボード５０について説明する。
本実施形態の特殊キーボード５０は、複数のキー６０のいずれかをユーザが押下することで、ワンタッチで所望のＵＲＬにブラウザをアクセスさせるか所定のファイルを開くためのものであり、その他の用途は想定していない。したがって、特殊キーボード５０には、複数のキー６０が設けられているが、そのキー配列はＪＩＳ等の規格に準拠した配列でなくてもよい。
【００２８】
また、特殊キーボード５０がコンピュータ４０へ送信するキーコードは規格では規定されていない特殊なものであるか、または規格で規定されていても通常使用されないように既存のキーコードの特殊組み合わせを利用したものであり、本明細書中ではこれらを合わせて特殊キーコードと称している。キーコードを規格で規定されていないものとすることによって、コンピュータ４０内には特殊キーボードを解析する特殊ドライバ（図示せず）が必要となるが、コンピュータ４０内で、特殊キーボード５０から送信されてきたキーコードと通常のキーボード４１から送信されてきたキーコードとを混同させないようにすることができる。
【００２９】
特殊キーボード５０は複数のキー６０と、各キー６０の下方に配置されたマトリクス状または１コモン状に配線を形成した電極部（図示せず）と、キー６０が押下されたときに電極部において発生した接点信号に基づいて押下されたキー６０のキーコードを特定する機能およびコンピュータ４０に対して特定されたキーコードを送信する機能を有する制御部６２とが設けられている。
【００３０】
制御部６２としては、１チップで上記機能を実現できるＵＳＢコントローラがある。ＵＳＢコントローラは、ＣＰＵ６４と、ＲＯＭ６５と、ＲＡＭ６６とを有しており、ＣＰＵ６４がＲＯＭ６５内に記憶されている制御プログラムに基づいて動作を実行し、上述した機能を実現する。
【００３１】
ＲＯＭ６５には、電極部の配線位置とキーコードとを関連付けしたデータテーブル６７（図２参照）が記憶されており、ＣＰＵ６４は入力された接点信号がいずれの配線からのものかに基づいて、対応する特殊キーコードをデータテーブル６７から参照する。
そしてＣＰＵ６４は、データテーブル６７から読み取った特殊キーコードを所定の通信プロトコルでコンピュータ４０へ出力する。
【００３２】
次にコンピュータ４０について、図３に基づいて説明する。
コンピュータ４０は、中央処理演算装置であるＣＰＵ４２と、データの保存を行うＲＯＭ４３およびＲＡＭ４４とを具備している。さらに、コンピュータ４０は周辺機器として、入力手段であるキーボード４１、ポインティングデバイスであるマウス４５、表示装置であるモニタ４６とを接続している。
【００３３】
キーボード４１や特殊キーボード５０との間での通信を行うために、ハードウェアインターフェイスとして、キーボードコントローラ５９が設けられている。キーボードコントローラ５９は、１チップのＩＣで構成されていることが一般的である。
【００３４】
キーボードコントローラ５９が受信したキーコードおよび特殊キーコードは、ＣＰＵ４２に送信される。
ＣＰＵ４２では、実行中のＯＳ（Operating System）のキーボードドライバ機能が、受信したキーコードに基づいて該当する文字に変換する。特殊キーコードを受信した場合については、ＣＰＵ４２で実行される自動アクセスプログラム５４が、後述するような所定の動作を実行する。
【００３５】
コンピュータ４０は、ＨＤＤ等の記憶装置４８を有しており、コンピュータの基本動作を実行するＯＳやその他ユーザの利用に資するアプリケーションソフト５１が記憶されている。
アプリケーションソフト５１としてはワープロソフトや表計算ソフト等が代表的なものであるがこれに限られることは無い。各アプリケーションソフトによって作成されたファイル５３も記憶装置４８に記憶されている。
【００３６】
さらに、記憶装置４８には、ブラウザ５２が記憶されている。ブラウザ５２はＷＥＢサイトにアクセスして、該当するＷＥＢサイトのＨＴＭＬファイルや、画像ファイル等をダウンロードしてモニタ４６に表示させるように動作するアプリケーションソフトである。
【００３７】
記憶装置４８には、特殊キーボード５０からの特殊キーコードに基づきデータテーブル５７（後述する）から参照した所定のＵＲＬのＷＥＢサイトへアクセスするようにブラウザ５２を動作させるか、またはデータテーブル５７から参照した所定のファイルを開くようにファイル５３に関連付けされたアプリケーションソフト５１を動作させる自動アクセスプログラム５４が記憶されている。
【００３８】
また、自動アクセスプログラム５４は、インストール時に記憶装置４８内の所定の容量の記憶領域を確保して、データテーブル５７を作成する機能を有する。データテーブル５７内のデータの入力は、データテーブル入力プログラム５６が行う。データテーブル入力プログラム５６は、自動アクセスプログラム５４の一部として、ユーザにデータテーブル５７へのデータ入力を行わせるためにユーザが操作するアプリケーションソフトとして動作する。
【００３９】
データテーブル５７は、特殊キーボード５０から送信される特殊キーコードと、各特殊キーコードにそれぞれＵＲＬまたはファイル名を対応付けして記憶している。
データテーブル５７に記憶されるキーコードとＵＲＬまたはファイル名とは１対１に対応するものであり、データテーブル入力プログラム５６に基づいてユーザが自ら登録する。
【００４０】
なお、自動アクセスプログラム５４のインストールは、インターネット経由で所定のサーバからダウンロードするようにしても良いし、ＣＤ等の記憶媒体から読み込んでインストールするようにしてもよい。
【００４１】
続いて、自動アクセスプログラム５４を読み込んだコンピュータ４０のＣＰＵ４２の処理動作について、図４に基づいて説明する。
ユーザが特殊キーボード５０のいずれかのキー６０を押下する。すると、特殊キーボード５０のキー６０は電極部で接点信号を発生させ、特殊キーボード５０内のＣＰＵ６４に接点信号を入力させる。
ＣＰＵ６４は、接点信号が発生した配線位置に基づいてＲＯＭ６５内のデータテーブル６７から対応する特殊キーコードを参照し、コンピュータ４０へ対応する特殊キーコードを出力する。
【００４２】
コンピュータ４０では、送信されてきた特殊キーコードをキーボードコントローラ５９を介してＣＰＵ４２が受信する（ステップＳ１００）。
ＣＰＵ４２は、記憶装置４８内のデータテーブル５７から受信した特殊キーコードに対応するＵＲＬまたはファイル名を読み出す（ステップＳ１０２）。
【００４３】
ＣＰＵ４２は、特殊キーコードに対応するものがＵＲＬかファイル名であるかを判断する（ステップＳ１０４）。
特殊キーコードに対応するものが所定のファイルであった場合、ＣＰＵ４２は、そのファイルを開くように制御する。するとそのファイルは、関連付けされたアプリケーションソフトが起動してこのアプリケーションソフトによって開かれるか、またはアプリケーションソフトが起動済みであればアプリケーションソフトがファイルを開く（ステップＳ１０５）。
【００４４】
特殊キーコードに対応するものがＵＲＬであった場合、ＣＰＵ４２はブラウザが起動済みかどうかを判断し（ステップＳ１０６）、ブラウザが起動していない場合には、ＵＲＬにアクセスさせるようにブラウザ５２を起動させる（ステップＳ１０８）。
ブラウザ５２が起動済みの場合、ブラウザ５２が参照したＵＲＬにアクセスするように制御する（ステップＳ１０７）。なお、ブラウザ５２が起動済みであった場合、ＣＰＵ４２はブラウザ５２に、新しいウインドウで参照したＵＲＬのＷＥＢサイトを表示させるようにしてもよい。
【００４５】
次に、データテーブル入力プログラムの動作について図５から図９に基づいて説明する。
ユーザが、コンピュータのモニタ４６に表示されているデータテーブル入力プログラム５６のアイコンをクリックすると、データテーブル入力プログラム５６が起動する。
起動したデータテーブル入力プログラム５６は、モニタ４６に図５に示すダイアログボックス７０を表示させる。
【００４６】
ダイアログボックス７０は、特殊キーボード５０と同じキー配列の各ボタン７２が配置されている。各ボタン７２には、キーの個数と同じ数だけ（本実施形態では１から３０まで）キー番号が付与されている。ボタン７２のいずれかが押下されると、図６に示すようなダイアログボックス７４が表示される。
【００４７】
ダイアログボックス７４には、ユーザが押下したボタン７２に対応させて登録するＵＲＬまたはファイル名（ショートカットでもよい）を指定するボックス８９が表示される。
このボックス８９内にユーザはキーボード４１による直接入力またはコピーアンドペーストでキー６０と対応付けしようとするＵＲＬまたはファイル名を記入する。
【００４８】
ユーザがダイアログボックス７４内にＵＲＬまたはファイル名を記入した後、設定ボタン７６を押下すると、該当するボタン７２とダイアログボックス７４に記入されたＵＲＬまたはファイル名が関連付けされてデータテーブル５７に記憶される。
【００４９】
設定ボタン７６が押下された後、再度ダイアログボックス７０が表示されるが、設定したボタン７２には、登録済みであることをユーザに認知させるためにアイコン８８が表示される（図７）。
【００５０】
なお、ダイアログボックス７０の一覧表示ボタン７５を押下することで、キー番号と対応させて現在登録済みのＵＲＬまたはファイル名が記憶されている表７７（図８）が表示される。
この表７７は、ユーザが確認のために表示させるだけであって、ユーザはこの表７７を操作することはできない。表７７を閉じる場合には、閉じるボタン７８を押下する。
【００５１】
図７または図５の状態でダイアログボックス７０の設定ボタン７９を押下すると、ダイアログボックス７０は閉じられ、データテーブル５７への入力動作は終了する。
【００５２】
データテーブル入力プログラム５６の他の処理動作について説明する。
ここで示す処理動作は、現在ブラウザを開いているかまたは所定のアプリケーションソフトを実行しており、現在閲覧中のＷＥＢサイトを登録するか、または現在作業中のファイルを登録したい場合に用いられる。
図面に基づいて説明すると、ブラウザを開いている最中に、データテーブル入力プログラム５６を起動すると、データテーブル入力プログラム５６は、モニタ４６に図５に示すダイアログボックス７０を表示させる。
【００５３】
次に、ダイアログボックス７０のボタン７２のいずれかまたは実際に特殊キーボード５０のキー６０のいずれかが押下されると、図９に示すようなダイアログボックス８１が表示される。
データテーブル入力プログラム５６は、ダイアログボックス８１に、押下したキー６０に現在閲覧中のＵＲＬを設定するかどうかをユーザに質問する表示をする。
【００５４】
ダイアログボックス８１のＯＫボタン８２が押下されると、設定が登録されて図７の登録済みのダイアログボックス７０の表示に移行し、ダイアログボックス８１のキャンセルボタン８３が押下されると、図５のように登録前のダイアログボックス７０の表示に移行するようにデータテーブル入力プログラム５６は動作する。
【００５５】
（第２の実施形態）
次に、特殊キーボード側に自動アクセスさせるための機能が設けられている実施形態について説明する。この実施形態は、コンピュータには自動アクセスプログラムを設けておかなくてもよく、ユーザは特殊キーボードを持ちあるくことでいずれのコンピュータからでも、所望のＵＲＬを各キーを関連付けした特殊キーボードからのキー操作で、ワンタッチで所望のＵＲＬにアクセスするかまたは所望のファイルを開くことができる。
【００５６】
本実施形態の特殊キーボード８０について図１０に基づいて説明する。
特殊キーボード８０は、複数のキー６０が設けられており、そのキー配列はＪＩＳ等の規格に準拠した配列でなくてもよい。
【００５７】
特殊キーボード８０は、複数のキー６０と、各キー６０の下方に配置されたマトリクス状または１コモン状に配線を形成した電極部（図示せず）と、制御部９０とを具備している。
制御部９０は、キー６０が押下されたときに電極部において発生した接点信号に基づいて、データテーブル９４（後述する）から参照した所定のＵＲＬのＷＥＢサイトへアクセスするようにブラウザを動作させるか所定のファイルを開くようにコンピュータ４０へ制御信号を出力するように動作する。
【００５８】
ここでは、コンピュータ４０の内部構成については図示していないが、中央処理演算装置であるＣＰＵと、データの保存を行うＲＯＭおよびＲＡＭとを具備し、周辺機器として、入力手段であるキーボード、ポインティングデバイスであるマウス、表示装置であるモニタとを接続している通常のコンピュータを想定している。
【００５９】
制御部９０としては、１チップで上記機能を実現できるＵＳＢコントローラがある。ＵＳＢコントローラは、ＣＰＵ９１と、ＲＯＭ９２と、ＲＡＭ９３とを有しており、ＣＰＵ６４がＲＯＭ６５内に記憶されている制御プログラムに基づいて動作を実行し、上述した機能を実現する。
制御部９０のＲＯＭ９２には、電極部の配線位置とユーザが予め設定したＵＲＬまたはファイル名を関連付けしたデータテーブル９４（図１１参照）が記憶されている。
【００６０】
制御部９０のＲＯＭ９２には、データテーブル９４を参照して、対応するＵＲＬにアクセスするかまたは対応するファイルを開くようにコンピュータ４０に制御信号を出力する制御信号出力プログラム９５が記憶されている。
【００６１】
なお、コンピュータ４０は、特殊キーボード８０からの制御信号を受信すると、制御信号の指示に基づいてＣＰＵが、ブラウザを指定されたＵＲＬにアクセスするか、所定のファイルを開くように制御する。
【００６２】
本実施形態においても、図５から図９で説明したような動作を実行するデータテーブル入力プログラム９６が、特殊キーボード８０のＲＯＭ９２に記憶されている。
データテーブル入力プログラム９６の実行は、コンピュータ４０側でのユーザの操作に基づいて行われる。特殊キーボード８０をコンピュータに接続した際には、特殊キーボード８０がメモリ領域を有するドライブの一種として認識されるので、ユーザはコンピュータ４０で認識した特殊キーボード８０内のデータテーブル入力プログラム９６を起動させて入力動作を実行する。
【００６３】
ただし、データテーブル入力プログラム９６には、特殊キーボード８０をコンピュータに接続した際に、ショートカット用のアイコンをコンピュータのモニタに自動的に表示させるように動作する機能を持たせ、ユーザはこのアイコンを操作することで特殊キーボード８０内のデータテーブル入力プログラム９６を起動可能としてもよい。
【００６４】
なお、データテーブル入力プログラム９６の動作は、上述した実施形態の図５から図９と同様であるので、ここでの説明を省略する。
【００６５】
（第３の実施形態）
なお、上述してきた第１の実施形態および第２の実施形態の特殊キーボードに、図１２に示すように、複数のコネクタ部１０２とＨＵＢ１０４とを設けてもよい。図１２の説明では、第２の実施形態の特殊キーボード８０にコネクタ部１０２とＨＵＢ１０４を設けたものとし、上述した構成要素と同一の構成要素については同一の符号を付し、説明を省略する場合もある。
【００６６】
ＨＵＢ１０４は、ＵＳＢコントローラである制御部９０と、複数のコネクタ部１０２，
１０２・・との間に設けられている。
このようにＨＵＢ１０４と複数のコネクタ部１０２とを特殊キーボードに設けたことにより、コネクタ部には外部記憶装置を接続することができる。
ここで、ＨＵＢ１０４としてはＵＳＢＨＵＢ、コネクタ部としてはＵＳＢＩ／Ｆ、外部記憶装置としてＵＳＢメモリ等を例としてあげることができる。
【００６７】
本実施形態によれば、ＲＯＭ９２には制御信号出力プログラム９５やデータテーブル入力プログラム９６を記憶させずに、制御信号出力プログラム９５やデータテーブル入力プログラム９６を外部記憶装置に記憶させることができる。
【００６８】
なお、上述してきた実施形態では、データテーブルに記憶させておくファイルとしては、所定のアプリケーションソフトで作成されたファイルとして説明した。しかし、ファイルとは、このようなものに限定されることなく、アプリケーション自体を特殊キーボードの特殊キーコードまたは電極部の配線位置と対応させてデータテーブルに記憶させてもよい。
【００６９】
（第４の実施形態）
次に、第４の実施形態について説明する。本実施形態は、特殊キーボードを所定のＵＲＬにアクセスするための機能に特化し、該当するＷＥＢサイトが複数の言語で表示されるように作成されている場合には、特殊キーボードの言語切り換えキーを押下することにより、各ＵＲＬへのキー割り当ては変えずに、表示されるＷＥＢサイトの言語のみを変更することができるものである。
【００７０】
図１３に本実施形態の概略の説明を示す。なお、本実施形態の説明においては、上述してきた実施形態と同一の構成要素については同一の符号を付し、説明を省略する場合もある。
例えば、特殊キーボード１１０が３０キーを有するキーボードであり、このうち２５キー〜２８キーまでを言語切り換えキー１１２ａ〜１１２ｄとする。言語切り換えキー１１２ａ〜１１２ｄの例として、２５キーは日本語、２６キーは英語、２７キーは中国語、２８キーは韓国語を割り当られている。他の１キー〜２４キー、２９キーおよび３０キーは、それぞれ所定のＵＲＬが割り当てられている。
【００７１】
例えば、ユーザが２５キーを押下して日本語を選択した後、１キーを押下すると１キーに割り当てられた所定のＷＥＢサイトの日本語表示のページにアクセスする。また、ユーザが２６キーを押下して英語を選択した後、1キーを押下すると、1キーに割り当てられた所定のＷＥＢサイト（日本語表示のページと同一のＷＥＢサイト）の英語表示のページにアクセスする。
【００７２】
次に、図１４に本実施形態の構成を説明するブロック図を示す。
特殊キーボード１１０の内部構成としては、上述した図１に示したものと同様の構成であり、特殊キーボード１１０内の制御部６２が、押下されたキーのキーコードを特定し、コンピュータ４０に対して特定されたキーコードを送信する。
特殊キーボード１１０に設けられたキーのうちのいずれか複数が言語切り換えキー１１２として設けられており、制御部６２は、いずれかの言語切り換えキー１１２が押下された場合には、該当する切り換えキーコードを出力する。ただし、ここでいう切り換えキーコードとは、実際には特殊キーコードと同一のものであり、規格で規定されていない特殊なものか、または規格で規定されていても通常使用されないように既存のキーコードの特殊組み合わせを利用したものである。
【００７３】
本実施形態におけるコンピュータ４０では、特殊キーボード１１０から受信した切り換えキーコードに基づいて、自動アクセスプログラム５４が、切り換えキーコードをＲＯＭ４３などに一旦記憶させる。
その後、ＵＲＬを指定するキーコードを特殊キーボード１１０から受信した場合には、
先に受信した切り換えキーコードに対応する言語で表示されるＷＥＢサイトのデータテーブルを選択し、選択したデータテーブルから、受信したキーコードに対応するＵＲＬを読み出す。
【００７４】
このように、コンピュータ４０の記憶装置４８には、複数のデータテーブル１１４ａ〜１１４ｄが記憶されている。各データテーブル１１４ａ〜１１４ｄには、各特殊キーコードと各特殊キーコードにそれぞれＵＲＬが対応付けして記憶されている。
複数のデータテーブル１１４ａ〜１１４ｄは、それぞれが同一の言語で表示されたＷＥＢサイトに対するＵＲＬが記憶されている。ここでは、データテーブル１１４ａが日本語のＷＥＢサイト、１１４ｂが英語のＷＥＢサイト、１１４ｃが中国語のＷＥＢサイト、１１４ｄが韓国語のＷＥＢサイトのＵＲＬが記憶されている。
各データテーブルにおいてＵＲＬと対応付けされているキーコードは、各データテーブルに共通した同一のキーコードであり、この同一のキーコードが、表示言語が異なるだけで同一内容のＷＥＢサイトのＵＲＬと対応付けされている。
【００７５】
本実施形態における、自動アクセスプログラムを読み込んだコンピュータのＣＰＵの処理動作について、図１５に基づいて説明する。
ユーザが特殊キーボードのキーのうちのいずれかを押下すると、特殊キーボード１１０のキーは電極部で接点信号を発生させ、内部のＣＰＵ６４に接点信号を入力させる。
ＣＰＵ６４は、接点信号が発生した配線位置に基づいてＲＯＭ６５内のデータテーブルから対応する特殊キーコードを出力する。
【００７６】
コンピュータ４０では、送信されてきた特殊キーコードをキーボードコントローラ５９を介してＣＰＵ４２が受信する（ステップＳ２００）。
ＣＰＵ４２は、受信した特殊キーコードが言語を切り換える切り換えキーコードであるか、ＵＲＬを指定するキーコードであるかを判別する（ステップＳ２０２）。
ＣＰＵ４２は、受信した特殊キーコードがＵＲＬを指定するキーコードであると判別した場合には、日本語で表示されるＷＥＢサイトに関するデータテーブル１１４ａから対応するＵＲＬを参照する（ステップＳ２０４）。
【００７７】
そして、ＣＰＵ４２は、ブラウザ５２が起動済みかどうかを判断し、ブラウザ５２が起動していない場合には、対応するＵＲＬにアクセスさせるようにブラウザ５２を起動させ、ブラウザ５２が起動済みの場合、ブラウザ５２が対応するＵＲＬにアクセスするように制御する（ステップＳ２０６）。
【００７８】
なお、ＣＰＵ４２は、受信した特殊キーコードが切り換えキーコードであると判別した場合、この切り換えキーコードをＲＯＭ４３などに一旦記憶させる（ステップＳ２０３）。
そして、ＣＰＵ４２は、予め設定した所定時間内に新たに特殊キーコードが受信されるかどうかを判断する（ステップＳ２０５）。
ＣＰＵ４２は、切り換えキーコードを受信してから所定時間経過する前に、次の特殊キーコードを受信しなかった場合、先に受信した切り換えキーコードをＲＯＭ４３から消去する（ステップＳ２０８）。そして次に特殊キーコードを受信したとしてもステップＳ２００へ戻り、再度受信した特殊キーコードが言語を切り換える切り換えキーコードであるか、ＵＲＬを指定するキーコードであるかを判別する（ステップＳ２０２）。
【００７９】
ＣＰＵ４２は、所定時間経過する前に次の特殊キーコードを受信した場合には、受信した特殊キーコードが言語を切り換える切り換えキーコードであるか、ＵＲＬを指定するキーコードであるかを判別する（ステップＳ２０７）。
受信した特殊キーコードが、切り換えキーコードであると判別された場合、ステップＳ２０３へ戻り、ＣＰＵ４２は、この切り換えキーコードを一旦ＲＯＭ４３などに記憶させる。そして、この切り換えキーコードを受信してから予め設定した所定時間内に新たに特殊キーコードが受信されるかどうかを判断する（ステップＳ２０５）。
【００８０】
受信した特殊キーコードが、ＵＲＬを指定するキーコードであると判別された場合、ＣＰＵ４２は、ＲＯＭ４３から先に受信していた切り換えキーコードを読み出し、記憶装置４８内の該当するデータテーブル１１４ａ〜１１４ｄのいずれかに接続し、接続したデータテーブル中の該当するＵＲＬを参照する（ステップＳ２０９）。
【００８１】
そして、ＣＰＵ４２は、ブラウザ５２が起動済みかどうかを判断し、ブラウザ５２が起動していない場合には、対応するＵＲＬにアクセスさせるようにブラウザ５２を起動させ、ブラウザ５２が起動済みの場合、ブラウザ５２が対応するＵＲＬにアクセスするように制御する（ステップＳ２１１）。
【００８２】
（第５の実施形態）
なお、上述してきた第４の実施形態においては、各言語に対応するデータテーブルを記憶する記憶装置はコンピュータ４０内に設けられているものであった。しかし、第５の実施形態では、図１６に示すように、各言語に対応するデータテーブルを記憶する記憶装置を特殊キーボード内に設ける形態を採用したものである。
なお、上述してきた実施形態と同一の構成要素については同一の符号を付し、説明を省略する場合もある。
【００８３】
特殊キーボード１２０は、複数のキー１１３が設けられているが、このうちのいくつかが言語切り換えキー１１２ａ〜１１２ｄとして機能する。図１６では、表示させるＷＥＢサイトの表示言語を日本語に切り換える言語切り換えキー１１２ａ、英語に切り換える言語切り換えキー１１２ｂ、中国語に切り換える言語切り換えキー１１２ｃ、韓国語に切り換える言語切り換えキー１１２ｄの４つの言語切り換えキーを設け、他のキー１１３には各ＵＲＬが割り当てられている。
【００８４】
特殊キーボード１２０内には、制御部９０が設けられており、具体的にはＵＳＢコントローラ等が該当する。制御部９０のＲＯＭ９２には、各キーの電極部の配線位置とユーザが予め設定したＵＲＬとが関連付けされたデータテーブル１２２が複数記憶されている。また、ＲＯＭ９２では、言語切り換えキー１１２ａに該当する電極部の配線位置とデータテーブル１２２ａを、言語切り換えキー１１２ｂに該当する電極部の配線位置とデータテーブル１２２ｂを、言語切り換えキー１１２ｃに該当する電極部の配線位置とデータテーブル１２２ｃを、言語切り換えキー１１２ｄに該当する電極部の配線位置とデータテーブル１２２ｄを対応づけて記憶させている。
【００８５】
複数のデータテーブル１２２ａ〜１２２ｄのそれぞれは、同一の言語で表示されたＷＥＢサイトに対するＵＲＬが記憶されている。ここでは、データテーブル１２２ａが日本語のＷＥＢサイト、１２２ｂが英語のＷＥＢサイト、１２２ｃが中国語のＷＥＢサイト、１２２ｄが韓国語のＷＥＢサイトのＵＲＬが記憶されている。
【００８６】
さらに、制御部９０のＲＯＭ９２には、データテーブル１２２を参照して、対応するＵＲＬにアクセスするようにコンピュータ４０に制御信号を出力する制御信号出力プログラム９５が記憶されている。
【００８７】
本実施形態の特殊キーボード内のＣＰＵの処理動作について、図１７に基づいて説明する。
ユーザが特殊キーボード１２０のキーのうちのいずれかを押下すると、ＣＰＵ９１は押下して発生したキーの電極部の接点信号を受信し（ステップＳ３００）、押下されたキーが言語切り換えキーかＵＲＬの指定キーかを判別する（ステップＳ３０２）。
【００８８】
ＣＰＵ９１は、押下されたキーがＵＲＬを指定するキーであると判別した場合には、日本語で表示されるＷＥＢサイトに関するデータテーブル１２２ａから対応するＵＲＬを参照する（ステップＳ３０４）。そして、ＣＰＵ９１は、コンピュータ４０内のブラウザが対応するＵＲＬにアクセスするように制御する制御信号をコンピュータ４０へ出力する（ステップＳ３０６）。
【００８９】
なお、ＣＰＵ９１は、押下されたキーが言語切り換えキーであると判別した場合、この接点信号におけるキー位置をＲＯＭ９２などに一旦記憶させる（ステップＳ３０３）。
そして、予め設定した所定時間内に新たに何らかのキーが押下されるかどうかを判断する（ステップＳ３０５）。
ＣＰＵ９１は、所定時間経過する前に、次のキーの押下を検出しなかった場合、先に押下された言語切り換えキーの位置についての情報は消去する（ステップＳ３０８）。そして、次に何らかのキーが押下されたとしてもステップＳ３００へ戻り、押下が検出されたキーが言語切り換えキーであるか、ＵＲＬを指定するキーであるかを判別する（ステップＳ３０２）。
【００９０】
ＣＰＵ９１は、所定時間経過する前にキーが押下されたことを検出した場合には、押下されたキーが言語切り換えキーであるか、ＵＲＬを指定するキーであるかを判別する（ステップＳ３０７）。
押下されたキーが、言語切り換えキーであると判別された場合、ＣＰＵ９１は、ステップＳ３０３へ戻り、このキーのキー位置をＲＯＭ９２などに記憶させる。そして、このキーが押下されてから予め設定した所定時間内に新たに何らかのキーが押下されるかどうかを判断する（ステップＳ３０５）。
【００９１】
押下されたキーが、ＵＲＬを指定するキーであると判別された場合、ＣＰＵ９１は、ＲＯＭ９２から先に押下されていた言語切り換えキーのキー位置を読み出し、該当するデータテーブル１２２ａ〜１２２ｄのいずれかに接続し、接続したデータテーブル中の該当するＵＲＬを参照する（ステップＳ３０９）。
そして、ＣＰＵ９１は、コンピュータ１００内のブラウザが対応するＵＲＬにアクセスするように制御する制御信号をコンピュータ１００へ出力する（ステップＳ３１１）。
【００９２】
このように、本実施形態ではコンピュータに自動アクセスプログラムを設けたり、複数のデータテーブルを記憶させておく必要がなく、ユーザは特殊キーボードを持ち歩くことでいずれのコンピュータからでも所望の言語で表示されたＵＲＬにアクセスすることができる。
【００９３】
（第６の実施形態）
次に、上述してきた特殊キーボードを使用してホテルにおける案内に利用される案内システムについて説明する。
この案内システムでは、ホテルの宿泊客がホテル周辺の飲食店やその他の店舗等の情報を入手する場合、特殊キーボードのいずれかのキーを押下するだけで、予め登録したおいたホテル周辺の店舗等のＷＥＢサイトにアクセスすることができる。
【００９４】
図１８に本システムの概略構成について示す。なお、上述してきた実施形態と同一の構成要素については同一の符号を付し、説明を省略する場合もある。
案内システム１３０は、特殊キーボード１１０と、特殊キーボード１１０に接続されるコンピュータ４０とを具備している。コンピュータ４０と特殊キーボード１１０がホテルＨのフロント付近に設置される。
コンピュータ４０はネットワークＮを介してサーバ１４０に通信可能に接続されている。具体的にはネットワークＮはインターネットであり、サーバ１４０はＷＷＷサーバである。サーバ１４０は、本システムの管理者が所有し、管理する事を想定しているが、サーバ１４０は誰の所有であってもよい。
【００９５】
図１９に本実施形態に用いる特殊キーボード１１０の外観の一例について示す。
実施形態の特殊キーボード１１０は、上述した第４の実施形態と同一のものであり、同一の構成要素については同一の符号を付して詳しい説明については省略するが、ホテル周辺の店舗のＷＥＢサイトのＵＲＬを指定するキー１１１の他に言語を切り換えるための言語切り換えキー１１２ａ〜１１２ｄが設けられている。ホテル周辺の店舗の例としては、居酒屋、和食店、洋食店、書店、パチンコ店、マッサージ店などが挙げられる。
また、言語切り換えキー１１２ａ〜１１２ｄによって、表示されるＷＥＢサイトの言語を変更できるので、外国からの宿泊客であっても容易にホテル周辺の情報を得ることができる。
【００９６】
本実施形態のコンピュータ４０は、上述した第４の実施形態で説明したコンピュータ４０と同一の構成であるので、ここでは説明を省略する。
なお、コンピュータ４０には、モニタ４６に表示させた画像をプリントアウトさせるためにプリンタ（図示せず）を接続しておくとよい。
【００９７】
次に、図２０に基づいてサーバについて説明する。
サーバ１４０は、中央処理演算装置であるＣＰＵ１４１と、データの保存を行うＲＯＭ１４２およびＲＡＭ１４３と、ＨＤＤ等の記憶装置１４４を具備している。さらに、サーバ１４０は周辺機器として入力手段であるキーボード１４５、ポインティングデバイスであるマウス１４６、表示装置であるモニタ１４８を接続している。
【００９８】
このサーバは、ＷＷＷサーバであって、ＨＴＭＬ等の言語で記述された文書や画像１５１を記憶装置１４４内に記憶しており、インターネットを経由してアクセスしてきたコンピュータのブラウザからの要求に応じ、文書や画像１５１をＷＥＢサイトとしてアクセスしてきたコンピュータへ送信する機能を有する。
このような機能は、記憶装置１４４に記憶されているサーバソフトウェア１５０がＣＰＵ１４１に読み込まれて実行されることにより、実現される。
【００９９】
なお、本実施形態においては、サーバ１４０の記憶装置１４４に記憶されているＷＥＢサイト１５１は、ホテル周辺の店舗が独自に開設したＷＥＢサイトではなく、当該案内システム１３０の管理者が各店舗を紹介する様式を統一して構成したものである。
この様式を統一させたＷＥＢサイトの例を図２１に示す。
ここに示すＷＥＢサイト１５１は一例であるが、一画面でホテルの宿泊客が各店舗について欲する情報を全て見ることができるように、シンプルにまとめるようにしている。ここでは、店舗名、店舗の写真、ホテルからの地図、コメントなどを表示させるようにし、さらにはクーポン１５２などを表示させることで宿泊客が該当店舗に訪れやすくなるようにしている。クーポンについては、ＱＲコード（登録商標）等を用いて携帯電話で撮像させることにより携帯電話で待ち運ぶことができるようにするとよい。
【０１００】
また、サーバ１４０に記憶されているＷＥＢサイト１５１は、同一店舗のＷＥＢサイトについて複数の言語で作成されている。具体的には、同一店舗のＷＥＢサイトを日本語、英語、中国語、韓国語のそれぞれの言語で作成する。
【０１０１】
なお、サーバ１４０には、ネットワークＮを介して複数のホテルＨの案内システム１３０と接続されており、各ホテルＨに対応するＷＥＢサイト１５１を記憶するようにしている。
さらに、サーバ１４０は１台だけに限定することはなく、複数のサーバが設けられていてもよい。
なお、このように、ネットワークを通じてＷＥＢサイトが開示されることにより、ＷＥＢサイトの内容の更新をしたい場合など、ホテル内のコンピュータ４０を操作しなくともネットワークに接続できる端末を操作することで、ＷＥＢサイトの更新を容易に行える。
【０１０２】
次に、本実施形態の動作について説明する。
案内システム１３０のコンピュータ４０は、モニタ４６に初期画面を表示させている。
初期画面は、「特殊キーボードのいずれかのキーを押下することによってホテル周辺の店舗の案内を表示させる」旨について表示しておくとよい。また、この初期画面では、日本語だけでなく、英語や中国語や韓国語などの諸外国の言語でも「特殊キーボードのいずれかのキーを押下することによってホテル周辺の店舗の案内を表示させる」旨を表示させておくと、外国からの宿泊客であっても初期画面を見て操作してもらうことができる。
【０１０３】
初期画面から、宿泊客が特殊キーボード１１０のいずれかのキーを押下した場合において、言語切り換えキー１１２を押下せずに、いきなりＵＲＬの指定キー１１１を押下したときは、コンピュータ４０のＣＰＵ４２は該当するＵＲＬを日本語で表示されるデータテーブル１１４ａから参照し、ブラウザ５２からアクセスする。
すなわち、言語の指定が無い場合には、操作した宿泊客は日本人である蓋然性が高いと思われるからである。
【０１０４】
初期画面から、宿泊客が特殊キーボード１１０の言語切り換えキー１１２を押下した場合、コンピュータ４０のＣＰＵ４２は、押下された言語切り換えキー１１２の切り換えキーコードをＲＯＭ４３などに記憶させる。その後、ＵＲＬを指定するキー１１１が押下された場合、コンピュータ４０のＣＰＵ４２は、切り換えキーコードをＲＯＭ４３から読み出して、該当するデータテーブルに接続し、接続したデータテーブル中の該当するＵＲＬを参照する。
コンピュータ４０のＣＰＵ４２は、参照したＵＲＬにアクセスするようにブラウザ５２を制御する。
【０１０５】
ブラウザ５２がアクセスしたＵＲＬを有するサーバ１４０では、サーバソフトウェア１５０がアクセスしてきたコンピュータ４０へ所定の文書・画像から成るファイルを送信する。
これにより、コンピュータ４０では、モニタ４６に宿泊客が選択したＷＥＢサイトを表示させることができる。
【０１０６】
コンピュータ４０のＣＰＵ４２は、該当するＷＥＢサイトを所定時間表示させた後、特殊キーボード１１０から何ら入力が無い場合には、ブラウザ５２によるＷＥＢサイトの表示を終了させ、初期画面をモニタ４６に表示させる。
この場合、情報を得た宿泊客が案内システム１３０から立ち去ったと考えられるためである。
【０１０７】
また、宿泊客が言語切り換えキー１１２を押下した後、所定時間内に特殊キーボード１１０から何ら入力が無い場合には、先に押下した言語切り換えキーの切り換えキーコードのＲＯＭ４３などへの一時記憶を消去する。
所定時間経過しても何らのキーコードが入力されないということは、最初に言語切り換えキーを押下した宿泊客が、案内システム１３０の操作を終了して立ち去ったと考えられるためである。
【０１０８】
なお、本実施形態で説明した案内システムにおいては、コンピュータ４０内に特殊キーコードとＵＲＬとを関連付けしたデータテーブルを記憶させておくものについて説明した。しかし、案内システムとしては、第２の実施形態で説明したように特殊キーボード内にデータテーブルを記憶させておく構成であってもよい。
【０１０９】
さらに、案内システムとしては、特殊キーボードに言語切り換えキーを設けるものに限定されることもない。
【０１１０】
以上本発明につき好適な実施形態を挙げて種々説明したが、本発明はこの実施形態に限定されるものではなく、発明の精神を逸脱しない範囲内で多くの改変を施し得るのはもちろんである。
【図面の簡単な説明】
【０１１１】
【図１】本発明の入力システムにおける特殊キーボードの内部構成を示すブロック図である。
【図２】電極部の配線位置と特殊キーコードとを対応させて記憶させているデータテーブルを示す説明図である。
【図３】本発明の入力システムにおけるコンピュータの内部構成を示すブロック図である。
【図４】入力システムにおける自動アクセスプログラムの動作について説明するフローチャートである。
【図５】データテーブル入力プログラムの実行によって、モニタに表示されるダイアログボックスの説明図である。
【図６】登録内容を入力する際に表示されるダイアログボックスの説明図である。
【図７】登録後に表示されるダイアログボックスの説明図である。
【図８】登録済みの内容を表示させる一覧表示の説明図である。
【図９】現在閲覧中のＷＥＢサイトを登録する場合に表示されるダイアログボックスの説明図である。
【図１０】コンピュータへ制御信号を出力する機能を設けた特殊キーボードの内部構成を示すブロック図である。
【図１１】図１０に示した特殊キーボード内の電極部の配線位置とＵＲＬまたはファイル名とを対応させて記憶させているデータテーブルを示す説明図である。
【図１２】特殊キーボードに複数のコネクタ部とＨＵＢを設けた実施形態を示すブロック図である。
【図１３】言語切り換え機能を設けた入力システムの実施形態の概略を説明する説明図である。
【図１４】言語切り換え機能を設けた入力システムの実施形態の構成を説明するブロック図である。
【図１５】言語切り換え機能を設けた入力システムの実施形態における自動アクセスプログラムの動作について説明するフローチャートである。
【図１６】言語切り換え機能と、コンピュータへ制御信号を出力する機能を設けた特殊キーボードの内部構成を示すブロック図である。
【図１７】言語切り換え機能と、コンピュータへ制御信号を出力する機能を設けた特殊キーボードの動作について説明するフローチャートである。
【図１８】案内システムの概略構成を説明する説明図である。
【図１９】案内システムに用いられる特殊キーボードの外観構成を示す説明図である。
【図２０】案内システムのサーバの内部構成を示すブロック図である。
【図２１】様式を統一させたＷＥＢサイトの例を示す説明図である。
【符号の説明】
【０１１２】
３０  入力システム
４０  コンピュータ
４１  キーボード
４２  ＣＰＵ
４３  ＲＯＭ
４４  ＲＡＭ
４５  マウス
４６  モニタ
４８  記憶装置
５０  特殊キーボード
５１  アプリケーションソフト
５２  ブラウザ
５３  ファイル
５４  自動アクセスプログラム
５６  データテーブル入力プログラム
５７  データテーブル
５９  キーボードコントローラ
６０  キー
６２  制御部
６４  ＣＰＵ
６５  ＲＯＭ
６６  ＲＡＭ
６７  データテーブル
７０  ダイアログボックス
７２  ボタン
７３  設定ボタン
７４  ダイアログボックス
７５  一覧表示ボタン
７６  設定ボタン
７７  表
７８  閉じるボタン
７９  設定ボタン
８０  特殊キーボード
８１  ダイアログボックス
８２  ＯＫボタン
８３  キャンセルボタン
８８  アイコン
８９  ボックス
９０  制御部
９１  ＣＰＵ
９２  ＲＯＭ
９３  ＲＡＭ
９４  データテーブル
９５  制御信号出力プログラム
９６  データテーブル入力プログラム
１００  コンピュータ
１０２  コネクタ部
１０４  ＨＵＢ
１１０  特殊キーボード
１１１  ＵＲＬ指定キー
１１２  言語切り換えキー
１１３  キー
１１４  データテーブル
１２０  特殊キーボード
１２２  データテーブル
１３０  案内システム
１４０  サーバ
１４１  ＣＰＵ
１４２  ＲＯＭ
１４３  ＲＡＭ
１４４  記憶装置
１４５  キーボード
１４６  マウス
１４８  モニタ
１５０  サーバソフトウェア
１５１  ＷＥＢサイト（文書や画像）
１５２  クーポン
Ｈ  ホテル
Ｎ  ネットワーク
【図１】
0005179762.tif 000002
【図２】
0005179762.tif 000003
【図３】
0005179762.tif 000004
【図４】
0005179762.tif 000005
【図２０】
0005179762.tif 000006
【図５】
0005179762.tif 000007
【図６】
0005179762.tif 000008
【図７】
0005179762.tif 000009
【図８】
0005179762.tif 000010
【図９】
0005179762.tif 000011
【図１０】
0005179762.tif 000012
【図１１】
0005179762.tif 000013
【図１２】
0005179762.tif 000014
【図１３】
0005179762.tif 000015
【図１４】
0005179762.tif 000016
【図１５】
0005179762.tif 000017
【図１６】
0005179762.tif 000018
【図１７】
0005179762.tif 000019
【図１８】
0005179762.tif 000020
【図１９】
0005179762.tif 000021
【図２１】
0005179762.tif 000022